【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
電気機器の本来機能を実行する稼働状態と、前記本来機能を実行しない休止状態とを有する第１ユニットと、
前記第１ユニットを前記休止状態から前記稼働状態に変えることができると共にと共に第１所定量の電力を消費する有効状態と、前記第１ユニットを前記休止状態から前記稼働状態に変えることができないと共に電力消費量が前記第１所定量よりも少ない無効状態とを有する第２ユニットと、
予め設定された第１の所定の条件が満たされたとき、前記第２ユニットを前記無効状態から前記有効状態に変える第３ユニットとからなり、
前記第１の所定の条件が満たされるまで、前記第２ユニットによる電力消費を節約することを特徴とする省待機電力型電気機器。
【請求項２】
前記第３ユニットが前記第２ユニットの状態を変化させたとき、前記第２ユニットは前記第１ユニットの状態を前記休止状態から前記稼働状態に変化させないことを特徴とする請求項１に記載の省待機電力型電気機器。
【請求項３】
予め設定された第２の所定の条件が満たされたとき、前記第３ユニットは前記第２ユニットを前記有効状態から前記無効状態変え、前記第２の所定条件が満たされた後は前記第２ユニットの電力消費を節約することを特徴とする請求項１に記載の省待機電力型電気機器。
【請求項４】
前記第３ユニットは時計部を含み、前記時計部は第１の所定時刻に前記第２ユニットの状態を変化させる第１の信号を出力することを特徴とする請求項１に記載の省待機電力型電気機器。
【請求項５】
前記時計部は第２の所定時刻に前記第２ユニットを前記有効状態から前記無効状態に変える第２の信号を出力することを特徴とする請求項４に記載の省待機電力型電気機器。
【請求項６】
前記第１ユニットと前記第２ユニットに電力を供給する電力供給部と、
前記電力供給部から前記第２ユニットへの電力供給を制御する制御部とを更に有し、
前記制御部は前記第１の所定条件が満たされたときに前記電力供給部に前記第２ユニットへの電力供給を開始させることを特徴とする請求項１に記載の省待機電力型電気機器。
【請求項７】
制御信号を出力するリモートコントローラを更に有し、
前記第２ユニットは前記リモートコントローラからの前記第１ユニットを前記休止状態から前記稼働状態に変える制御信号を受信する受信部を備えることを特徴とする請求項６に記載の省待機電力型電気機器。
【請求項８】
制御信号を出力するリモートコントローラを更に有し、
前記第２ユニットは前記リモートコントローラからの前記第１ユニットを前記休止状態から前記稼働状態に変える制御信号を受信する受信部を備えることを特徴とする請求項１に記載の省待機電力型電気機器。
【請求項９】
外部の電気機器に前記第２ユニットの状態を示す信号を伝達する通信部を更に有することを特徴とする請求項１に記載の省待機電力型電気機器。
【請求項１０】
外部の電気機器から信号を受信する通信部を更に有し、
前記第３ユニットは前記通信部が受信した信号に応じて前記第２ユニットの状態を変化させることを特徴とする請求項１に記載の省待機電力型電気機器。
【請求項１１】
電気機器の本来機能を実行する稼働状態と、前記本来機能を実行しない休止状態とを有する第１ユニットと、
前記第１ユニットを前記休止状態から前記稼働状態に変えることができると共に第１所定量の電力を消費する有効状態と、前記第１ユニットを前記休止状態から前記稼働状態に変えることができないと共に電力消費量が前記第１所定量よりも少ない無効状態とを有する第２ユニットと、
予め設定された所定の条件が満たされたとき、前記第２ユニットを前記有効状態から前記無効状態に変える第３ユニットとからなり、
前記所定の条件が満たされた後、前記第２ユニットによる電力消費を節約することを特徴とする省待機電力型電気機器。
【請求項１２】
第１所定量の電力を消費する稼働状態と、前記本来機能を実行しない休止状態とを有する第１ユニットと、
前記第１所定量よりも少ない第２所定量の電力を消費する準備状態と休止状態とを有する第２ユニットと、
自身が設置された部屋の状態に応じて前記第２ユニットの状態を変化させる第３ユニットとからなることを特徴とする省待機電力型電気機器。
【請求項１３】
第１所定量の電力を消費する稼働状態と、前記本来機能を実行しない休止状態とを有する第１ユニットと、
前記第１所定量よりも少ない第２所定量の電力を消費する準備状態と休止状態とを有する第２ユニットと、
前記第２ユニットの前記休止状態と前記準備状態との変化を制御する第３ユニットと、
前記第２ユニットの状態を示す信号を外部に伝達する通信部とからなることを特徴とする省待機電力型電気機器。
【請求項１４】
前記第３ユニットはプリセット時刻に前記第２ユニットの状態を変化させる信号を出力する時計部を含み、
前記通信部は前記プリセット時刻に前記信号を外部に伝達することを特徴とする請求項１３に記載の省待機電力型電気機器。
【請求項１５】
前記通信部は前記信号と共に現在時刻の情報を伝達することを特徴とする請求項１４に記載の省待機電力型電気機器。
【請求項１６】
第１所定量の電力を消費する稼働状態と、前記本来機能を実行しない休止状態とを有する第１ユニットと、
前記第１所定量よりも少ない第２所定量の電力を消費する準備状態と休止状態とを有する第２ユニットと、
前記第２ユニットの前記休止状態と前記準備状態との変化を制御する第３ユニットと、
信号を外部の電気機器から受ける通信部とからなり、
前記第３ユニットは、前記通信部が受けた信号に応じて前記第２ユニットの状態を変化させることを特徴とする省待機電力型電気機器。
【請求項１７】
前記第３ユニットはプリセット時刻に信号を出力する時計部を含み、
前記通信部は外部の電気機器から前記時計部にセットされるべきプリセット時刻に関する情報を受けることを特徴とする請求項１６に記載の省待機電力型電気機器。
【請求項１８】
時刻を計時すると共に電力を消費する計時状態と、時刻を計時しないと共により電力消費の少ない休止状態とを有する時計部と、
前記時計部の前記計時状態と前記休止状態との変化を制御する制御部と、
前記電気機器が機能を開始するプリセット時刻を記憶するメモリと、
前記電気機器の電源をOFFとするスイッチとを有し、
前記メモリに前記プリセット時刻が記憶された状態で前記スイッチがOFFとされたとき、前記時計部は、前記プリセット時刻に前記電気機器にその機能を開始させるために時刻合わせをすることを特徴とする省待機電力型電気機器。
【手続補正２】
【補正対象書類名】明細書
【補正対象項目名】００１４
【補正方法】変更
【補正の内容】
【００１４】
即ち、第１に、電気機器の本来機能を実行する稼働状態と、前記本来機能を実行しない休止状態とを有する第１ユニットと、前記第１ユニットを前記休止状態から前記稼働状態に変えることができると共にと共に第１所定量の電力を消費する有効状態と、前記第１ユニットを前記休止状態から前記稼働状態に変えることができないと共に電力消費量が前記第１所定量よりも少ない無効状態とを有する第２ユニットと、予め設定された第１の所定の条件が満たされたとき、前記第２ユニットを前記無効状態から前記有効状態に変える第３ユニットとからなり、前記第１の所定の条件が満たされるまで、前記第２ユニットによる電力消費を節約することを特徴とする省待機電力型電気機器である。
【手続補正３】
【補正対象書類名】明細書
【補正対象項目名】００１５
【補正方法】変更
【補正の内容】
【００１５】
そして、上記電気機器において、前記第３ユニットが前記第２ユニットの状態を変化させたとき、前記第２ユニットは前記第１ユニットの状態を前記休止状態から前記稼働状態に変化させないこと、又は、予め設定された第２の所定の条件が満たされたとき、前記第３ユニットは前記第２ユニットを前記有効状態から前記無効状態変え、前記第２の所定条件が満たされた後は前記第２ユニットの電力消費を節約することを特徴とする省待機電力型電気機器である。
【手続補正４】
【補正対象書類名】明細書
【補正対象項目名】００１６
【補正方法】変更
【補正の内容】
【００１６】
更に、上記電気機器において、前記第３ユニットは時計部を含み、前記時計部は第１の所定時刻に前記第２ユニットの状態を変化させる第１の信号を出力することを特徴とする省待機電力型電気機器である。前記時計部は第２の所定時刻に前記第２ユニットを前記有効状態から前記無効状態に変える第２の信号を出力するようにすることができる。
【手続補正５】
【補正対象書類名】明細書
【補正対象項目名】００１７
【補正方法】変更
【補正の内容】
【００１７】
更に第１の記述において、前記第１ユニットと前記第２ユニットに電力を供給する電力供給部と、前記電力供給部から前記第２ユニットへの電力供給を制御する制御部とを更に有し、前記制御部は前記第１の所定条件が満たされたときに前記電力供給部に前記第２ユニットへの電力供給を開始させることを特徴とする省待機電力型電気機器である。前記において、制御信号を出力するリモートコントローラを更に有し、前記第２ユニットは前記リモートコントローラからの前記第１ユニットを前記休止状態から前記稼働状態に変える制御信号を受信する受信部を備えることができる。
【手続補正６】
【補正対象書類名】明細書
【補正対象項目名】００１８
【補正方法】変更
【補正の内容】
【００１８】
更に第１の記述において、制御信号を出力するリモートコントローラを更に有し、前記第２ユニットは前記リモートコントローラからの前記第１ユニットを前記休止状態から前記稼働状態に変える制御信号を受信する受信部を備えること、又は、外部の電気機器に前記第２ユニットの状態を示す信号を伝達する通信部を更に有すること、或いは、外部の電気機器から信号を受信する通信部を更に有し、前記第３ユニットは前記通信部が受信した信号に応じて前記第２ユニットの状態を変化させることを特徴とする省待機電力型電気機器である。
【手続補正７】
【補正対象書類名】明細書
【補正対象項目名】００１９
【補正方法】変更
【補正の内容】
【００１９】
第２に、電気機器の本来機能を実行する稼働状態と、前記本来機能を実行しない休止状態とを有する第１ユニットと、前記第１ユニットを前記休止状態から前記稼働状態に変えることができると共に第１所定量の電力を消費する有効状態と、前記第１ユニットを前記休止状態から前記稼働状態に変えることができないと共に電力消費量が前記第１所定量よりも少ない無効状態とを有する第２ユニットと、予め設定された所定の条件が満たされたとき、前記第２ユニットを前記有効状態から前記無効状態に変える第３ユニットとからなり、前記所定の条件が満たされた後、前記第２ユニットによる電力消費を節約することを特徴とする省待機電力型電気機器である。
【手続補正８】
【補正対象書類名】明細書
【補正対象項目名】００２０
【補正方法】変更
【補正の内容】
【００２０】
第３に、第１所定量の電力を消費する稼働状態と、前記本来機能を実行しない休止状態とを有する第１ユニットと、前記第１所定量よりも少ない第２所定量の電力を消費する準備状態と休止状態とを有する第２ユニットと、自身が設置された部屋の状態に応じて前記第２ユニットの状態を変化させる第３ユニットとからなることを特徴とする省待機電力型電気機器である。
【手続補正９】
【補正対象書類名】明細書
【補正対象項目名】００２１
【補正方法】変更
【補正の内容】
【００２１】
第４に、第１所定量の電力を消費する稼働状態と、前記本来機能を実行しない休止状態とを有する第１ユニットと、前記第１所定量よりも少ない第２所定量の電力を消費する準備状態と休止状態とを有する第２ユニットと、前記第２ユニットの前記休止状態と前記準備状態との変化を制御する第３ユニットと、前記第２ユニットの状態を示す信号を外部に伝達する通信部とからなることを特徴とする省待機電力型電気機器である。前記第３ユニットはプリセット時刻に前記第２ユニットの状態を変化させる信号を出力する時計部を含み、
前記通信部は前記プリセット時刻に前記信号を外部に伝達するようにすることができる。そして、前記通信部は前記信号と共に現在時刻の情報を伝達するようにすることができる。
【手続補正１０】
【補正対象書類名】明細書
【補正対象項目名】００２２
【補正方法】変更
【補正の内容】
【００２２】
第５に、第１所定量の電力を消費する稼働状態と、前記本来機能を実行しない休止状態とを有する第１ユニットと、前記第１所定量よりも少ない第２所定量の電力を消費する準備状態と休止状態とを有する第２ユニットと、前記第２ユニットの前記休止状態と前記準備状態との変化を制御する第３ユニットと、信号を外部の電気機器から受ける通信部とからなり、前記第３ユニットは、前記通信部が受けた信号に応じて前記第２ユニットの状態を変化させることを特徴とする省待機電力型電気機器である。
【手続補正１１】
【補正対象書類名】明細書
【補正対象項目名】００２３
【補正方法】変更
【補正の内容】
【００２３】
前記第３ユニットはプリセット時刻に信号を出力する時計部を含み、前記通信部は外部の電気機器から前記時計部にセットされるべきプリセット時刻に関する情報を受けるようにすることができる。
【手続補正１２】
【補正対象書類名】明細書
【補正対象項目名】００２４
【補正方法】変更
【補正の内容】
【００２４】
第６に、時刻を計時すると共に電力を消費する計時状態と、時刻を計時しないと共により電力消費の少ない休止状態とを有する時計部と、前記時計部の前記計時状態と前記休止状態との変化を制御する制御部と、前記電気機器が機能を開始するプリセット時刻を記憶するメモリと、前記電気機器の電源をOFFとするスイッチとを有し、前記メモリに前記プリセット時刻が記憶された状態で前記スイッチがOFFとされたとき、前記時計部は、前記プリセット時刻に前記電気機器にその機能を開始させるために時刻合わせをすることを特徴とする省待機電力型電気機器である。